(57)【要約】【課題】高い処理能力を必要とせず、少ない消費電力で焼き付きを極力防止できる携帯電子機器及び表示輝度制御方法を提供する。【解決手段】電池電圧監視部１１１が行った各種デバイスの動作チェックの結果を基に、表示部６以外の全てのデバイスが動作していなかった場合には、表示輝度制御部１１２はＡＤコンバータ１０が取得した回路基板の電流値と予め決定されたしきい値Ｔｈとを比較し、現在の電流値がしきい値Ｔｈよりも大きい場合には、表示部６のＯＬＥＤパネルが焼き付きを抑えることができる輝度以上で表示されていると判断して、ＯＬＥＤパネルの表示輝度を焼き付きを抑えることができるレベル以下にまで下げる。【選択図】図５
2009060282.tif 000002
【特許請求の範囲】
【請求項１】
電源部と、当該電源部から電力供給を受けて各々所定の機能を実現する複数のデバイスとを有する携帯電子機器であって、
複数の発光素子を有する多数の表示画素を縦横に配して構成され、表示時の表示輝度を変化させることが可能な表示部と、
前記複数のデバイスが動作状態であるか否かを確認する動作確認部と、
前記電源部からの供給電流の電流値を取得する電流値取得部と、
前記動作確認部により、前記表示部以外の前記複数のデバイスが動作していないことが確認され、かつ前記電流値取得部が取得した電流値が第１のしきい値よりも大きい場合には、前記表示部の表示時の輝度を低下させるように制御する表示輝度制御部と、
を有することを特徴とする携帯電子機器。
【請求項２】
操作入力を受け付ける操作部
を有し、
前記第１のしきい値は、前記動作確認部により前記表示部以外の前記複数のデバイスが動作していないことが確認された状態で、予め前記操作部への操作入力により選択された表示輝度で前記表示部に所定の画像を表示させたときの消費電流値である
ことを特徴とする請求項１に記載の携帯電子機器。
【請求項３】
前記表示輝度制御部は、前記動作確認部により、前記表示部と、消費電流値が時間辺り固定である所定のデバイス以外の前記複数のデバイスが全て動作していないことが前記動作確認部により確認され、かつ前記電流値取得部が取得した電流値が第２のしきい値よりも大きい場合には、前記表示部の表示時の輝度を低下させるように制御する
ことを特徴とする請求項１に記載の携帯電子機器。
【請求項４】
操作入力を受け付ける操作部
を有し、
前記所定のデバイスは、前記操作部に対する照明手段であり、
前記第２のしきい値は、前記第１のしきい値に前記照明手段による消費電流値を加えた値である
ことを特徴とする請求項３に記載の携帯電子機器。
【請求項５】
複数の発光素子を有する多数の表示画素を縦横に配して構成され、表示時の表示輝度を変化させることが可能な表示部と、電源部と、当該電源部から電力供給を受けて各々所定の機能を実現する複数のデバイスと、を有する携帯電子機器における表示輝度制御方法であって、
前記複数のデバイスが動作状態であるか否かを確認する動作確認ステップと、
前記電源部からの供給電流の電流値を取得する電流値取得ステップと、
前記動作確認ステップにおいて前記表示部以外の前記複数のデバイスが動作していないことが確認された場合に、前記電流値取得ステップにおいて取得された電流値が第１のしきい値より大きいか否かを判断する判断ステップと、
前記判断ステップにおいて、前記電流値が前記第１のしきい値よりも大きいと判断された場合に、前記表示部の表示時の輝度を低下させるように制御するステップと、
を有することを特徴とする表示輝度制御方法。
【発明の詳細な説明】
【技術分野】
【０００１】
本発明は、焼き付きを起こす恐れのある有機ＥＬディスプレイ（ＯＬＥＤ）等、ディスプレイデバイスを有する携帯電子機器及び表示輝度制御方法に関する。
【背景技術】
【０００２】
現在、携帯電話やＰＤＡ（Personal Digital Assistants）等の携帯電子機器には、表示デバイスとして主に液晶ディスプレイ（ＬＣＤ：Liquid Crystal Display）が搭載されている。
しかし、ＬＣＤはバックライトを必要とするために消費電力が大きく、内蔵電源（充電池）等で駆動するため使用できる電力量に限りがある携帯電子機器では、より消費電力の小さい表示デバイスを採用したい、という要請がある。
【０００３】
ＬＣＤに代わる表示デバイスとして、近年では有機ＥＬ（有機Electro luminescence、以下、ＯＬＥＤ（Organic Light-Emitted Diode）と称する）ディスプレイが注目され、ＬＣＤが持つ高解像度、薄型軽量の特徴と、ＣＲＴ（Cathode Ray tube）ディスプレイが持つ高コントラスト、広視野角の特徴とを合わせ持つため、携帯電子機器の表示デバイスとして採用が検討されるようになっている。
【０００４】
ＯＬＥＤは、ＣＲＴディスプレイやプラズマディスプレイ同様、自発光型の表示デバイスであり、ガラス基板上にＩＴＯ（Indium Tin Oxide）からなるアノード電極が形成され、その上に、ホール輸送層、発光層、電子輸送層からなる有機層と、金属電極とからなるカソード電極が形成されている。
ＬＣＤは、輝度がバックライトにより液晶パネルに入射される光量で制御されるのに対し、ＯＬＥＤは、有機層に流れる電流により制御されるため、発光していない部分は完全に黒表示となりコントラストが非常に高いという特徴を持つ。
【０００５】
ＯＬＥＤの各素子は、緑色、青色、赤色等のいずれかの単色に発光し、これらの素子（画素）が多数並ぶことによりフルカラーの表示が可能なディスプレイが作成される。ところが、ＯＬＥＤの各素子は、有機物に通電して色を変化させるようになっているため、表示が行われる時間、すなわち有機物に通電した時間に比例して、有機物が劣化し、素子の発光輝度が低下してしまう。
このため、素子の劣化が発生し、発光の輝度が徐々に落ちていく現象が生じる。具体的には、同一の画素に高い輝度で同じ色の発光を長時間行わせた場合に、当該画素における発光表示素子の有機物が劣化して当該素子の発光輝度が低下してしまう現象である。発光輝度の劣化が生じてしまうと、劣化を起こした画素と隣接する画素とで同一色を表示させているにもかかわらず色合いが異なる、という焼き付きと呼ばれる事態が発生する。
【０００６】
一方、ＯＬＥＤや液晶ディスプレイにおいて焼き付き現象の対策のための技術が種々提案されている（例えば特許文献１〜４参照）。
特許文献１には、データ表示の表示速度を設定し、設定された速度で画像を表示させる無線通信端末が開示されている。
特許文献２には、外部電源の接続を検知したときに表示の反転表示と非反転表示の切換えを行う表示装置が開示されている。
特許文献３には、表示エリアを複数に分割して時間に応じて表示エリアを変更する端末装置が開示されている。
特許文献４には、ＲＧＢ各発光素子のうち、発光輝度の経時的劣化速度が大きい素子に対応する色ほど、画像の白表示部を構成するＲＧＢ比率が小さくなるように、計算により画像の白表示の色度座標を決定する携帯型電話機が開示されている。
【特許文献１】特開２００２−２６８６０１号公報
【特許文献２】特開２００３−１８６４３４号公報
【特許文献３】特開２００３−２２３１６０号公報
【特許文献４】特開２００３−２８０５８８号公報
【発明の開示】
【発明が解決しようとする課題】
【０００７】
携帯電話等の携帯電子機器は、携帯性を高めるために、処理能力や電池容量の点で制限がある場合が多く、それほど高い処理能力や大きな電池容量を有していない場合が多い。
上述した特許文献１〜４に開示された技術では、焼き付き防止のために消費電力が多くかかってしまう、或いは、高い処理能力が必要とされる。このため、安価に表示の焼き付きを防止したＯＬＥＤを搭載する携帯電子機器を提供することが難しい、という不利益があった。
【０００８】
本発明は上記した不利益を解消するためになされたものであり、高い処理能力を必要とせず、少ない消費電力で焼き付きを極力防止できる携帯電子機器及び表示輝度制御方法を提供することを目的とする。
【課題を解決するための手段】
【０００９】
上記した課題を解決するために、第１の発明の携帯電子機器は、電源部と、当該電源部から電力供給を受けて各々所定の機能を実現する複数のデバイスとを有する携帯電子機器であって、複数の発光素子を有する多数の表示画素を縦横に配して構成され、表示時の表示輝度を変化させることが可能な表示部と、前記複数のデバイスが動作状態であるか否かを確認する動作確認部と、前記電源部からの供給電流の電流値を取得する電流値取得部と、前記動作確認部により、前記表示部以外の前記複数のデバイスが動作していないことが確認され、かつ前記電流値取得部が取得した電流値が第１のしきい値よりも大きい場合には、前記表示部の表示時の輝度を低下させるように制御する表示輝度制御部と、を有する。
【００１０】
好適には、操作入力を受け付ける操作部を有し、前記第１のしきい値は、前記動作確認部により前記表示部以外の前記複数のデバイスが動作していないことが確認された状態で、予め前記操作部への操作入力により選択された表示輝度で前記表示部に所定の画像を表示させたときの消費電流値である。
【００１１】
好適には、前記表示輝度制御部は、前記動作確認部により、前記表示部と、消費電流値が時間辺り固定である所定のデバイス以外の前記複数のデバイスが全て動作していないことが前記動作確認部により確認され、かつ前記電流値取得部が取得した電流値が第２のしきい値よりも大きい場合には、前記表示部の表示時の輝度を低下させるように制御する。
【００１２】
好適には、操作入力を受け付ける操作部を有し、前記所定のデバイスは、前記操作部に対する照明手段であり、前記第２のしきい値は、前記第１のしきい値に前記照明手段による消費電流値を加えた値である。
【００１３】
第２の発明の表示輝度制御方法は、複数の発光素子を有する多数の表示画素を縦横に配して構成され、表示時の表示輝度を変化させることが可能な表示部と、電源部と、当該電源部から電力供給を受けて各々所定の機能を実現する複数のデバイスと、を有する携帯電子機器における表示輝度制御方法であって、前記複数のデバイスが動作状態であるか否かを確認する動作確認ステップと、前記電源部からの供給電流の電流値を取得する電流値取得ステップと、前記動作確認ステップにおいて前記表示部以外の前記複数のデバイスが動作していないことが確認された場合に、前記電流値取得ステップにおいて取得された電流値が第１のしきい値より大きいか否かを判断する判断ステップと、前記判断ステップにおいて、前記電流値が前記第１のしきい値よりも大きいと判断された場合に、前記表示部の表示時の輝度を低下させるように制御するステップと、を有する。
【発明の効果】
【００１４】
本発明によれば、高い処理能力を必要とせず、少ない消費電力で焼き付きを極力防止できる携帯電子機器及び表示輝度制御方法を提供することができる。
【発明を実施するための最良の形態】
【００１５】
以下、本発明の携帯電子機器の一例として携帯電話１００について説明する。
＜第１実施形態＞
図１は、本第１実施形態の携帯電話１００の各構成について説明するためのブロック図である。
図１に示すように、携帯電話１００は、通信部１と、操作部２（本発明の操作部に対応）と、音声処理部３と、スピーカ４と、マイク５と、表示部６（本発明の表示部に対応）と、カメラ７と、記憶部８と、電源部９と、ＡＤコンバータ１０（本発明の電流値取得部に対応）と、制御部１１とを有する。
【００１６】
図２は、携帯電話１００の外観の一例を示す図である。
図２に示すように、携帯電話１００は、上部筐体１０１と下部筐体１０２とがヒンジ部１０３によって開閉可能に接続されている。
図２（ａ）は携帯電話１００の筐体が開かれた状態を、図２（ｂ）は携帯電話１００の筐体が閉じられた状態を示している。
上部筐体１０１は、スピーカ４及び表示部６を有する。
下部筐体１０２は、操作部２及びマイク５を有する。
【００１７】
通信部１は、複数の通信システムを捕捉し、通信ネットワークに接続される図示しない基地局との間で無線通信を行い、各種データの送受信を行う。各種データとは、音声通話時の音声データ、メール送受信時のメールデータ、ウェブ閲覧時のウェブページデータ等である。
操作部２は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部１１に出力する。
また、操作部２はキーバックライト２１を有する。キーバックライト２１は、操作部２の各種キーに仕込まれた発光デバイスであり、キー操作時等に発光するようになっている。
【００１８】
音声処理部３は、スピーカ４から出力される音声信号やマイク５において入力される音声信号の処理を行う。すなわち、マイク５から入力される音声を増幅し、アナログ／デジタル変換を行い、更に符号化等の信号処理を施し、デジタルの音声データに変換して制御部１１に出力する。また、制御部１１から供給される音声データに復号化、デジタル／アナログ変換、増幅等の信号処理を施し、アナログの音声信号に変換してスピーカ４に出力する。
【００１９】
表示部６は、多数の画素（複数色の発光素子の組み合わせ）を縦横に配して構成される、例えば有機ＥＬ（ＯＬＥＤ）パネルを用いて構成されており、制御部１１から供給される映像信号に応じた画像を表示する。例えば、発信時における発信先の電話番号、着信時における発信元の電話番号、受信メールや送信メールの内容、日付、時刻、電池残量、発信成否、待ち受け画面等を表示する。
なお、表示部６は、後述する電池電圧監視部１１１から通知された電池電圧を基に電池残量の表示を行う。すなわち、電池電圧監視部１１１から通知された電池電圧を基に、例えば３本のラインを有する電池ピクトを表示する。この場合電池ピクトの３本のラインのうちは、電池残量に比例した数だけ表示される。
以下、ＯＬＥＤパネルについて簡単に説明する。
【００２０】
ＯＬＥＤパネルの構成の一例を図３に示す。
ＯＬＥＤパネルは、図３に示すように、タイミング制御部６１と、カラム駆動部６２と、ロウ駆動部６３と、ＯＬＥＤ電源部６４と、ＯＬＥＤパネル６５とにより構成される。
後述する制御部１１から出力された映像信号（ＶＩＤＥＯ）は、タイミング制御部６１により、ＲＧＢ信号、垂直同期（ＶＤ）および水平同期信号（ＨＤ）に分離される。このうち、ＲＧＢ信号は、一旦、カラム駆動部６２によりアナログラッチで保持された後、指定されたタイミングでＯＬＥＤパネル６５のカラム本数分並列に一度に出力される。ＯＬＥＤ電源部６４から出力された信号は、それぞれ電圧から電流値に変換され、カラムを定電流駆動する。これにより、所定周期ごとの表示更新を行う。
【００２１】
また、ＶＤおよびＨＤは、ロウ駆動部６３で所定の電圧に変換され、カラムで出力された定電流信号で選択された画素のＯＮまたはＯＦＦ状態を決定する。例えば、横がｍ画素、縦がｎ画素のＯＬＥＤパネル６５を想定すれば、ＯＬＥＤパネル６５は、ｍ本のカラム電極と、ｎ本のロウ電極とを有していることになる。ｎ本のロウ電極は、ロウ電極の１行目からｎ行目を順次走査しており、ある動作時間のみカラム電極を介して駆動される定電流信号によって動作状態となる。このように、１行目のロウ電極から最下段のｎ行目のロウ電極まで逐次走査が切替えられて１画面分のアドレスが更新される。このときの１行目からｎ行目までの走査パルス列によって生成される１画面分の画像をフレームといい、連続的に画像を表示させるためにこの画面走査が繰り返し行われる。
以上のようにして表示部６のＯＬＥＤパネルに画像が表示される。
【００２２】
カメラ７は、例えばＣＣＤ（Charge Coupled Device）や、ＣＭＯＳ（Complementary Metal Oxide Semiconductor）のイメージセンサにより構成された撮像デバイスである。カメラ７は、後述する制御部１１の制御に従って起動し、画像を撮影して制御部１１に送る。
【００２３】
記憶部８は、携帯電話１００の各種処理に利用される各種データを記憶する。例えば、制御部１１が実行するコンピュータのプログラム、通信相手の電話番号や電子メールアドレス等の個人情報を管理するアドレス帳、着信音やアラーム音を再生するための音声ファイル、待ち受け画面用の画像ファイル、カメラ７が撮像した画像ファイル、各種の設定データ、プログラムの処理過程で利用される一時的なデータなどを保持する。なお、上記した記憶部８は、例えば不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成される。
【００２４】
電源部９は、携帯電話１００の各構成に電力を供給するための電力供給デバイスである。電源部９は、例えば、リチウムイオン２次電池等の蓄電池により構成される。電源部９は、その電池残量が少なくなってきた場合等、外部の電源と接続されることによる充電が可能である。
ＡＤコンバータ１０は、携帯電話１００の各構成が搭載された回路基板の電流を測定しデジタル値に変換する。なお、ここで回路基板の電流とは、電源部９からの供給電流の総量を指している。より正確には、電源部９では、この電源部９が有する図１に図示しない電源制御部により全てのデバイスへの供給電流が制御されており、供給電流の合計の値が消費電流値として、ＡＤコンバータ１０によってデジタル値に変換され取得された上で制御部１１に供給されることになる。
【００２５】
制御部１１は、携帯電話１００の全体的な動作を統括的に制御する。すなわち、携帯電話の各種の処理（回線交換網を介して行われる音声通話、電子メールの作成と送受信、インターネットのＷｅｂサイトの閲覧など）が操作部２の操作に応じて適切な手順で実行されるように、上述した各ブロックの動作（通信部１における信号の送受信、音声処理部３における音声の入出力、表示部６における画像の表示、カメラ７による撮像など）を制御する。
制御部１１は、記憶部８に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。すなわち、記憶部８に格納されるオペレーティングシステムやアプリケーションプログラム等のプログラムから命令コードを順次読み込んで処理を実行する。
【００２６】
制御部１１は、電池電圧監視部１１１（本発明の動作確認部に対応）と、表示輝度制御部１１２（本発明の表示輝度制御部に対応）を有する。
電池電圧監視部１１１は、電源部９の電池電圧を検知することにより、電源部９の電池の残量を監視する。
ここで、携帯電話１００の各種デバイスが動作し消費電流（電源部９からの供給電流）が増大しているときには電圧降下が起こるため、電池電圧監視部１１１が電源部９の電池電圧が実際よりも低く検知してしまう。これを補正するために、電池電圧監視部１１１は携帯電話１００の各種デバイスの動作をチェックしており、デバイスが動作しているときには検知した電圧を所定量だけ補正するようにしている。ここで、補正する所定値は、例えば予め設定された値であり、記憶部８に記憶された値である。
携帯電話１００のデバイスは、例えばキーバックライト２１、スピーカ４、マイク５、表示部６、カメラ７等、電流を比較的大量に消費する表示部６以外の携帯電話１００の全てのデバイスである。例えば、各種デバイスはそれぞれの動作開始時及び動作終了時に動作開始或いは終了を電池電圧監視部１１１に通知する。電池電圧監視部１１１は各デバイスからの動作開始通知或いは動作終了通知を受けて当該デバイスが動作中であるか否かのチェックを行う。
【００２７】
図４は、電池電圧監視部１１１の動作例を示したフローチャートである。
ステップＳＴ１：
電池電圧監視部１１１は、所定時間ごとに、電源部９の電池電圧の検知と各種デバイスの動作チェックとを行う。
ステップＳＴ２：
ステップＳＴ１における各種デバイスの動作チェックにおいて、制御部１１の他に、現在動作しているデバイスが存在した場合には、ステップＳＴ３に進み、現在動作しているデバイスが存在しない場合には、ステップＳＴ４に進む。
【００２８】
ステップＳＴ３：
電池電圧監視部１１１は、デバイスが動作している分だけ、ステップＳＴ１において検知した電池電圧の補正を行う。電池電圧の補正は、ステップＳＴ１において検知した電池電圧に所定の数値を加算することにより行う。ここで加算される所定の数値は、動作しているデバイスごとに決定された値であり、この値は例えば各デバイスの動作時と非動作時の消費電力を実測する等して予め決定しておけばよい。
ステップＳＴ４：
電池電圧監視部１１１は、ステップＳＴ３において補正した電池電圧の値、或いはステップＳＴ１において検知された電池電圧の値を表示部６に通知する。表示部６は、これを受けて電池ピクトの表示を行う。
また、電池電圧監視部１１１は、ステップＳＴ２におけるデバイスの動作チェックの結果（どのデバイスが動作しているか）を後述する表示輝度制御部１１２に通知する。
その後ステップＳＴ１に戻り、所定時間ごとに電池電圧の検知とデバイスの動作のチェックを行うことになる。
電池電圧監視部１１１は以上のように電池電圧及び各種デバイスの動作を監視している。
【００２９】
表示輝度制御部１１２は、表示部６のＯＬＥＤパネルに焼き付きが生じにくいように、表示時の輝度を制御する。
以下、表示輝度制御部１１２の動作について図５のフローチャートを参照して説明する。
図５は、表示輝度制御部１１２の動作例を示したフローチャートである。
ステップＳＴ１１：
表示輝度制御部１１２は、図４において説明した電池電圧監視部１１１から通知された携帯電話１００の各種デバイスの動作チェックの結果を基に、表示部６以外のデバイスが動作しているか否かを判断する。
表示部６以外の全てのデバイスが動作していなかった場合はステップＳＴ１２に進み、表示部６以外にも動作しているデバイスが存在した場合にはステップＳＴ１１を繰り返す。
ステップＳＴ１２：
表示輝度制御部１１２は、ＡＤコンバータ１０から回路基板の電流値を取得する。
【００３０】
ステップＳＴ１３：
表示輝度制御部１１２は、ステップＳＴ１２において取得した電流値と、予め決定されたしきい値Ｔｈ（本発明の第１のしきい値に相当）とを比較し、ステップＳＴ１２において取得した電流値の方が大きい場合はステップＳＴ１４に進み、ステップＳＴ１２において取得した電流値の方が小さい場合はステップＳＴ１１に戻って各工程を繰り返す。
予め設定されたしきい値について説明する。
電池電圧監視部１１１により表示部６を除く全てのデバイスが動作していないことが分かっている状態で、表示部６のＯＬＥＤパネルが焼き付きを抑えることができる（ＯＬＥＤパネルの各画素の寿命を延ばすことができる）輝度で発光している時の回路基板上を流れる電流値を予めＡＤコンバータ１０により測定しておく。この値は、表示部６のＯＬＥＤパネルの焼き付きを防ぎつつ表示を行う場合の、表示部６の他のデバイスが動作していない状態での電流値であり、この値をしきい値Ｔｈとして記憶部８に記憶しておく。
【００３１】
なお、表示部６のＯＬＥＤパネルの焼き付きを抑えることができる輝度は、例えば経験的に導出された輝度である。
或いは、しきい値Ｔｈを決定するための表示部６のＯＬＥＤパネルの輝度をユーザが自由に設定できるようにしてもよい。すなわち、所定の画像を表示部６のＯＬＥＤパネルに表示し、ユーザの操作部２に対する操作によって輝度が変化するようになっているしきい値設定画面において、ユーザに好みの輝度を設定させ、ユーザが設定した輝度で表示部６のＯＬＥＤパネルが表示中であるときの回路基板の電流値をしきい値Ｔｈとして設定し記憶部８に記憶しておくようにしてもよい。
【００３２】
ステップＳＴ１４：
表示輝度制御部１１２は、表示部６のＯＬＥＤパネルの輝度を、焼き付きを抑えることができるレベル以下にまで下げるように表示部６を制御し、ステップＳＴ１１に戻る。焼き付きが抑えることができるレベルの輝度は、例えば予め設定されていても良いし、ユーザが設定できるようにしてもよい。
以上のように、表示輝度制御部１１２は、表示部６のＯＬＥＤパネルが焼き付きを抑えることができる輝度以上で表示を行っている場合には、回路基板を流れる電流値からそれを察知し、ＯＬＥＤパネルの表示輝度を焼き付きを抑えることができるレベル以下にまで下げるので、表示部６のＯＬＥＤパネルの焼き付きを抑えることができる。
【００３３】
以上説明したように、本第１実施形態の携帯電話１００においては、電池電圧監視部１１１が行った各種デバイスの動作チェックの結果を基に、表示部６以外の全てのデバイスが動作していなかった場合には、表示輝度制御部１１２はＡＤコンバータ１０が取得した回路基板の電流値と予め決定されたしきい値Ｔｈとを比較し、現在の電流値がしきい値Ｔｈよりも大きい場合には、表示部６のＯＬＥＤパネルが焼き付きを抑えることができる輝度以上で表示されていると判断して、ＯＬＥＤパネルの表示輝度を焼き付きを抑えることができるレベル以下にまで下げるため、簡単な判断機能と少ない消費電力とで過剰な明るさでＯＬＥＤパネルに表示が行われ続ける事態を防止することができ、ＯＬＥＤパネルの焼き付きを抑えることができる。
また、ユーザの好みの輝度に合わせてしきい値Ｔｈを設定可能であるため、ユーザが輝度を下げたくないと思う輝度で表示されている場合に、電流値がしきい値を超え表示輝度制御部１１２が輝度を抑えるように制御してしまい、ＯＬＥＤパネルの表示がユーザが望むよりも暗い表示となってしまう、という事態を回避することができる。
【００３４】
＜第２実施形態＞
以下、本発明の第２実施形態について説明する。
本第２実施形態では、第１実施形態において説明した携帯電話１００の変形例について説明する。従って、以下では第１実施形態と異なる動作をするに関してのみ説明を行う。
【００３５】
以下、第１実施形態と異なる動作をする構成について説明する。
表示輝度制御部１１２は、表示部６のＯＬＥＤパネルに焼き付きが生じないように、表示時の輝度を制御する。第１実施形態においては、表示輝度制御部１１２は表示部６以外のデバイスが動作しているか否かをチェックし、表示部６以外の全てのデバイスが動作していない場合にのみ、ＡＤコンバータ１０が取得した回路基板の電流値を用いて表示部６のＯＬＥＤの輝度を下げるように制御するか否かを決定していたが、本第２実施形態の表示輝度制御部１１２は、消費電流が時間辺り一定のデバイス、例えばキーバックライト２１が動作しているか否かのチェックを行い、消費電流が時間辺り一定のデバイスが動作している場合にも、表示部６のＯＬＥＤの輝度を下げるように制御するか否かの決定を行う。
【００３６】
以下、第２実施形態の表示輝度制御部１１２の動作例について説明する。
図６は、第２実施形態の表示輝度制御部１１２の動作例を説明するためのフローチャートである。
図６に示すフローチャートでは、消費電流が時間辺り一定であるデバイスがキーバックライト２１である場合について説明する。キーバックライト２１は、操作部２が操作される際に発光するが、その際の消費電流は例えば約７ｍＡでほぼ固定である（これに対して、通信部１等、他のデバイスは、ＯＮ状態での消費電流量が一律でなく、大きく変動する）。
【００３７】
ステップＳＴ２１：
表示輝度制御部１１２は、第１実施形態の図４において説明した電池電圧監視部１１１から通知された携帯電話１００の各種デバイスの動作チェックの結果を基に、表示部６とキーバックライト２１以外のデバイスが動作しているか否かを判断する。
表示部６とキーバックライト２１以外の全てのデバイスが動作していなかった場合はステップＳＴ２２に進み、表示部６とキーバックライト２１以外に動作しているデバイスが存在した場合にはステップＳＴ２１を繰り返す。
ステップＳＴ２２：
表示輝度制御部１１２は、電池電圧監視部１１１から通知された携帯電話１００の各種デバイスの動作チェックの結果を基に、キーバックライト２１が動作しているか否かを判断する。キーバックライト２１が動作している場合はステップＳＴ２３に進み、キーバックライト２１が動作していない場合はステップＳＴ２５に進む。
【００３８】
ステップＳＴ２３：
表示輝度制御部１１２は、ＡＤコンバータ１０から回路基板の電流値を取得する。
ステップＳＴ２４：
表示輝度制御部１１２は、ステップＳＴ２３において取得した電流値と、予め決定されたしきい値Ｔｈ＿ｋｅｙ（本発明の第２のしきい値に相当）とを比較し、ステップＳＴ２３において取得した電流値の方が大きい場合はステップＳＴ２７に進み、ステップＳＴ２３において取得した電流値の方が小さい場合はステップＳＴ２１に戻って各工程を繰り返す。
予め設定されたしきい値Ｔｈ＿ｋｅｙについて説明する。
電池電圧監視部１１１により表示部６とキーバックライト２１を除く全てのデバイスが動作していないことが分かっている状態で（すなわちキーバックライト２１が点灯している状態で）、表示部６のＯＬＥＤパネルが焼き付きを抑えることができる輝度で発光している時の回路基板上を流れる電流値を予めＡＤコンバータ１０により測定しておく。この値は、表示部６のＯＬＥＤパネルの焼き付きを防ぎつつ表示を行う場合の、表示部６とキーバックライト２１以外のデバイスが動作していない状態での電流値であり、この値をしきい値Ｔｈ＿ｋｅｙとして記憶部８に記憶しておく。
なお、表示部６のＯＬＥＤパネルの焼き付きを抑えることができる輝度は、例えば経験的に導出された輝度である。
しきい値Ｔｈ＿ｋｅｙは、例えば第１実施形態において説明したしきい値Ｔｈに、固定の電流値（すなわちキーバックライト２１の場合は７ｍＡ）を加算して算出すればよい。
【００３９】
ステップＳＴ２５：
表示輝度制御部１１２は、ＡＤコンバータ１０から回路基板の電流値を取得する。
ステップＳＴ２６：
表示輝度制御部１１２は、ステップＳＴ２５において取得した電流値と、予め決定されたしきい値Ｔｈ（本発明の第１のしきい値に相当）とを比較し、ステップＳＴ２５にて取得した電流値の方が大きい場合はステップＳＴ２７に進み、電流値の方が小さい場合はステップＳＴ２１に戻って各工程を繰り返す。
【００４０】
ステップＳＴ２７：
表示輝度制御部１１２は、表示部６のＯＬＥＤパネルの輝度を、焼き付きを抑えることができるレベル以下にまで下げるように表示部６を制御し、ステップＳＴ２１に戻る。焼き付きが抑えることができるレベルの輝度は、例えば予め設定されていても良いし、ユーザが設定できるようにしてもよい。
ＯＬＥＤパネルの画素を構成する発光素子の劣化を生じにくくするためには、発光輝度を抑えることが有効である。しかし、ＯＬＥＤパネルの全体輝度をあまり大きく抑えると、ＯＬＥＤパネルの長所である色彩表現力までも低下してしまう。そこで、サンプル画像を記憶部８に格納しておき、表示部６及び制御部１１以外のデバイスが動作していない状態にて、このサンプル画像を表示部６に表示させ、この表示輝度を予めユーザの許容できる範囲で操作部２の操作に応じて段階的に変化させると共に１つの表示輝度を選択させるように構成することにより、焼き付きを抑えることができるレベルの輝度をユーザが設定可能であるようにすることも好ましい。加えて、サンプル画像を表示させた際に他のデバイスをオフ状態にすれば、このときの消費電力をしきい値Ｔｈとして取得することができる。以上のようにして取得したしきい値Ｔｈと、選択された表示輝度とを記憶部８に格納し、それ以降「ＯＬＥＤパネルの焼き付きを抑えることができるレベルの輝度」にて表示を行う際には、記憶部８に格納された表示輝度を用いるようにすることで、ユーザが許容できる範囲内での良好な視認性を確保しつつ、焼き付き発生の防止を行うことができる。
以上のように、表示輝度制御部１１２は、キーバックライト２１のような時間辺りの消費電流が固定値であるデバイスが動作している時にも、表示部６のＯＬＥＤパネルが焼き付きを抑えることができる輝度以上で表示を行っている場合には、回路基板を流れる電量からそれを察知し、ＯＬＥＤパネルの表示輝度を焼き付きを抑えることができるレベル以下にまで下げるので、表示部６のＯＬＥＤパネルの焼き付きを抑えることができる。
【００４１】
以上説明したように、本第２実施形態の携帯電話１００においては、電池電圧監視部１１１が行った各種デバイスの動作チェックの結果を基に、表示部６とキーバックライト２１のような時間辺りの消費電流が固定値であるデバイス以外の全てのデバイスが動作していなかった場合には、表示輝度制御部１１２はＡＤコンバータ１０が取得した回路基板の電流値と予め決定されたしきい値Ｔｈ＿ｋｅｙとを比較し、現在の電流値がしきい値Ｔｈ＿ｋｅｙよりも大きい場合には、表示部６のＯＬＥＤパネルが焼き付きを抑えることができる輝度以上で表示されていると判断して、ＯＬＥＤパネルの表示輝度を焼き付きを抑えることができるレベル以下にまで下げるため、制御部１１以外の全てのデバイスの動作が停止していない状態でも、動作しているデバイスがキーバックライト２１のように消費電流が固定値である場合には表示部６のＯＬＥＤパネルの焼き付きを抑える処理を実行することができる。
また、ＯＬＥＤパネルを構成する発光素子は、ある程度の輝度までの発光であれば劣化速度は遅く、それを超える輝度での発光を行うと劣化速度が大きく増加してしまう、という特性を有する。つまり、最大輝度での発光よりも、最大輝度から若干輝度を落とすだけでも発光素子の劣化を大幅に抑えることができる。この特性のために、本発明によれば、各デバイスの動作状況に応じてわずかでも表示部６全体の発光輝度を抑えるように制御することにより、全発光素子の劣化を大きく抑えることができ、劣化の目立つ素子を作らないことができるようになり、ひいては発光輝度差が各画素間で目立たず、焼き付き現象を生じにくくすることにも繋がる。
なお、上述した実施形態においては、時間辺りの消費電流が固定値であるデバイスの一例としてキーバックライト２１を例にとって説明したが、本発明はこれには限定されない。消費電流値が時間辺り固定であれば、他のデバイスでもよい。
【００４２】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００４３】
上述した実施形態では、本発明の携帯電子機器の一例として携帯電話１００について説明したが、本発明はこれには限定されない。すなわち、例えばＰＤＡ（Personal Digital Assistants）等、携帯可能かつＯＬＥＤパネル等、画素の劣化による焼き付きを生じるタイプの表示部を有する電子機器全てに適用が可能である。
【図面の簡単な説明】
【００４４】
【図１】図１は、第１実施形態の携帯電話の各構成について説明するためのブロック図である。
【図２】図２は、第１実施携帯の携帯電話の外観の一例を示す図である。
【図３】図３は、ＯＬＥＤパネルの構成の一例を示す図である。
【図４】図４は、電池電圧監視部の動作例を示したフローチャートである。
【図５】図５は、第１実施形態の表示輝度制御部の動作例を示したフローチャートである。
【図６】図６は、第２実施形態の表示輝度制御部の動作例を説明するためのフローチャートである。
【符号の説明】
【００４５】
１００…携帯電話、１０１…上部筐体、１０２…下部筐体、１０３…ヒンジ部、１１１…電池電圧監視部、１１２…表示輝度制御部、１…通信部、２…操作部、２１…キーバックライト、３…音声処理部、４…スピーカ、５…マイク、６…表示部、６１…タイミング制御部、６２…カラム駆動部、６３…ロウ駆動部、６４…ＯＬＥＤ電源部、６５…ＯＬＥＤパネル、７…カメラ、８…記憶部、９…電源部、１０…ＡＤコンバータ、１１…制御部
【図１】
2009060282.tif 000003
【図２】
2009060282.tif 000004
【図３】
2009060282.tif 000005
【図４】
2009060282.tif 000006
【図５】
2009060282.tif 000007
【図６】
2009060282.tif 000008